(57)【要約】    本発明は、新型の共鳴発声のフラットスピーカーであって、ワイヤレス音楽振動本体、前記ワイヤレス音楽振動本体内に設けられる共鳴発声布及び少なくとも１つの共鳴発声板を含み、前記共鳴発声板の第一面と前記ワイヤレス音楽振動本体上の音声振動器とは、貼り合わせて設けられ、前記共鳴発声板の第二面と前記共鳴発声布の内面とは、貼り合わせて設けられ、前記共鳴発声布は、５Ｋｇｆ-２０Ｋｇｆの牽引力で、 前記ワイヤレス音楽本体の外枠と組み合わせて設けられる、フラットスピーカーに関するものである。前記共鳴発声板及び前記共鳴発声布の異なる音声周波数共振点により、全音域のフラットスピーカーを製造することができる。
2020537463.tif 000002
【特許請求の範囲】
【請求項１】
共鳴発声のフラットスピーカーであって、
ワイヤレス音楽振動本体、前記ワイヤレス音楽振動本体内に設けられる共鳴発声布及び少なくとも１つの共鳴発声板を含み、
前記共鳴発声板の第一面と前記ワイヤレス音楽振動本体上の音声振動器とは、貼り合わせて設けられ、前記共鳴発声板の第二面と前記共鳴発声布の内面とは、貼り合わせて設けられ、
前記共鳴発声布は、５Ｋｇｆ-２０Ｋｇｆの牽引力で、前記ワイヤレス音楽本体の外枠と組み合わせて設けられる、ことを特徴とするフラットスピーカー。
【請求項２】
前記共鳴発声板の数は、２つであり、各前記共鳴発声板の第一面は、ともに単独で少なくとも１つの前記音声振動器と貼り合わせて設けられることを特徴とする請求項１に記載のフラットスピーカー。
【請求項３】
前記共鳴発声板の材料は、ハニカム紙であることを特徴とする請求項１又は請求項２に記載のフラットスピーカー。
【請求項４】
前記共鳴発声布の材料は、ナイロンであることを特徴とする請求項１又は請求項２に記載のフラットスピーカー。
【請求項５】
前記音声振動器と前記外枠との間の距離は、少なくとも２０ｍｍであることを特徴とする請求項１に記載のフラットスピーカー。
【請求項６】
前記ワイヤレス音楽振動本体は、更に裏板を含み、前記裏板は、前記外枠上に設けられ、前記裏板には、ウォールフック又は緩衝ゴム足が設けられることを特徴とする請求項１に記載のフラットスピーカー。
【請求項７】
前記ワイヤレス音楽振動本体において音楽信号源を前記音声振動器に発送可能なワイヤレス音楽モジュールは、充電式バッテリーに接続されることを特徴とする請求項１に記載のフラットスピーカー。
【請求項８】
前記ワイヤレス音楽振動本体のボタン、充電ポートは、ともに前記ワイヤレス音楽モジュールに接続され、且つ前記外枠の付近に設けられることを特徴とする請求項７に記載のフラットスピーカー。
【請求項９】
前記牽引力は、１０Ｋｇｆであることを特徴とする請求項１に記載のフラットスピーカー。
【請求項１０】
前記共鳴発声板の長さと幅の範囲は、８０ｍｍ〜２５０ｍｍであることを特徴とする請求項１に記載のフラットスピーカー。
【発明の詳細な説明】
【技術分野】
【０００１】
本発明は、スピーカーに関し、特に新型の共鳴発声のフラットスピーカーに関する。
【背景技術】
【０００２】
従来の拡声器の発声原理は、電気信号の発生によりダイヤフラムを動かして音を発声させるが、その基本原理は、フレミングの左手の法則に由来し、電流が流れている導線を磁力線に垂直するように磁石のＳ極とＮ極の間におくと、導線は、磁力線と電流の両者の相互作用によって移動する。一枚のダイヤフラムをこの導線に付着させると、電流の変化に伴ってダイヤフラムは前後に運動する。ダイヤフラムの移動及び振動により、周囲の空気を押して振動させ、拡声器は、これにより発声する。しかし、一般的に拡声器のエンクロージャーの体積が大きく、特にその厚さが大きく、占める面積も大きいため、外観が綺麗でなく、配置が難しかった。限られた空間の生活環境においては、適切でなかった。
【０００３】
近年には、対象振動原理の拡声器を利用しているが、振動発声装置を固定対象の表面（例えば木製テーブルの表面、ガラス等の対象）に貼り合わせて固定すれば、固定対象の振動によって音声を発生させる。当該応用は、拡声器のサイズを減少させるが、音の周波数は、対象の性質に応じて変わり、且つ応用範囲が限られていた。
【０００４】
従来技術の問題点は、以下のようである。
１．現在市販の拡声器のエンクロージャーの体積は、一般的に大きく、特にその厚さが大きく、占める面積も大きいため、外観が綺麗でなく、配置が難しかった。現在では、簡潔さが求められており、個性的な生活空間においては、適切でない。
【０００５】
２．音声振動器により駆動されるスピーカーは、極小な範囲の音の周波数しか発することができない。他の対象の表面に貼り合わせれば、音の周波数の範囲を変化させることができるが、この変化は、対象の性質によって決定されるものであって、異なる物品は、異なるスピーカー効果をもたらし、且つ硬い材質であるほど、共鳴点の音の周波数が高いため、市場において限界があった。
【発明の概要】
【発明が解決しようとする課題】
【０００６】
本発明の主な目的は、従来技術の拡声器のエンクロージャーの体積が大きく、特にその厚さが大きく、占める面積も大きく、使用範囲が制限されているという問題を解決するための、共鳴発声的フラットスピーカーを提供することである。
【課題を解決するための手段】
【０００７】
上記の目的を達成するために、本発明は、共鳴発声のフラットスピーカーであって、ワイヤレス音楽振動本体、前記ワイヤレス音楽振動本体内に設けられる共鳴発声布及び少なくとも１つの共鳴発声板を含み、前記共鳴発声板の第一面と前記ワイヤレス音楽振動本体上の音声振動器とは、貼り合わせて設けられ、前記共鳴発声板の第二面と前記共鳴発声布の内面とは、貼り合わせて設けられ、前記共鳴発声布は、５Ｋｇｆ-２０Ｋｇｆの牽引力で、 前記ワイヤレス音楽本体の外枠と組み合わせて設けられる、ことを特徴とするフラットスピーカーを提供する。
【０００８】
好ましくは、前記共鳴発声板の数は、２つであり、各前記共鳴発声板の第一面は、ともに単独で少なくとも１つの前記音声振動器と貼り合わせて設けられる。
【０００９】
好ましくは、前記共鳴発声板の材料は、ハニカム紙である。
【００１０】
好ましくは、前記共鳴発声布の材料は、ナイロンである。
【００１１】
好ましくは、前記音声振動器と前記外枠との間の距離は、少なくとも２０ｍｍである。
【００１２】
好ましくは、前記ワイヤレス音楽振動本体は、更に裏板を含み、前記裏板は、前記外枠上に設けられ、前記裏板には、ウォールフック又は緩衝ゴム足が設けられる。
【００１３】
好ましくは、前記ワイヤレス音楽振動本体において音楽信号源を前記音声振動器に発送可能なワイヤレス音楽モジュールは、充電式バッテリーに接続される。
【００１４】
好ましくは、前記ワイヤレス音楽振動本体のボタン、充電ポートは、ともに前記ワイヤレス音楽モジュールに接続され、且つ前記外枠の付近に設けられる。
【００１５】
好ましくは、前記牽引力は、１０Ｋｇｆである。
【００１６】
好ましくは、前記共鳴発声板の長さと幅の範囲は、８０ｍｍ〜２５０ｍｍである。
【発明の効果】
【００１７】
本発明の有利な効果は、本発明によると、音声振動器(音声励振器)により発生された音声を利用して、共鳴発声板の共鳴振動を介して、共鳴発声布を動かす。共鳴発声布は、布の密度、弾性及び共鳴点を考慮し、且つ外枠との張力、牽引力も総合的に勘案して共鳴発声布を形成する。前記共鳴発声板は、軽く且つ硬質である材料（ハニカム紙）からなるため、１８０Ｈｚ 以上の音の周波数(中高音)に対しは顕著な共鳴音を発生させるが、１８０Ｈｚ又はその以下の音の周波数(低音と称する)に対しては顕著でない共鳴が発生される。前記共鳴発声布の軟質材料からなるため、１８０Ｈｚ以下の音の周波数(低音と称する)に対しては顕著な共鳴音を発生させるが、１８０Ｈｚ又はその以上の音の周波数(中高音と称する)に対しては顕著でない共鳴が発生される。全体平板表面を発声装置として、音声を平均的に出力することができる。
【００１８】
サイズの異なる平板外枠と、異なるサイズの、割合が適当な共鳴発声板及び音声振動器(声音励振器)とにより、共鳴発声板を介して発生させた共鳴振動により発声し、出力される音質及び効率を確保する。且つスピーカー装置の厚さを減少させるが、音色には影響を与えない。
【００１９】
前記共鳴発声布の表面に、更に個性的な図案を写すことができるので、外観が綺麗になる。
【図面の簡単な説明】
【００２０】
【図１】本発明の分解図である。
【図２】本発明の構造を示す図である。
【図３】本発明の図１の部材３の構造を示す図である。
【発明を実施するための形態】
【００２１】
図面を参照して、本発明の目的、特徴及び効果を、実施例で具体的説明する。
【００２２】
以下、図面の簡単な説明及び発明を実施するための形態を用いて本発明を詳細に説明する。なお、これらの実施例は、本発明を理解しやすくするためのものであり、本発明を限定するものではない。
【実施例１】
【００２３】
図１に示すように、本発明は、ワイヤレス音楽振動本体、前記ワイヤレス音楽振動本体内に設けられる少なくとも１つの共鳴発声板３及び共鳴発声布２を含む。前記共鳴発声板３の第一面と前記ワイヤレス音楽本体１の音声振動器１１は、貼り合わせて設けられ、前記共鳴発声板の第二面と前記共鳴発声布の内面は、貼り合わせて設けられる。前記共鳴発声布は、５Ｋｇｆ〜２０Ｋｇｆの牽引力により前記ワイヤレス音楽本体の外枠と組み合わせて設けられる。
【００２４】
本発明は、ワイヤレス信号の伝送技術を利用するが、好ましくは、ブルートゥース（登録商標）のワイヤレス伝送技術により、音楽信号源をプレーヤーから本発明のワイヤレス音楽モジュール１６に伝送し、その後、前記ワイヤレス音楽モジュール１６は、ワイヤレス信号を音の周波数に転換し、本発明の共鳴発声板３と共鳴発声布２との組み合わせにより、音声を再生する。
【００２５】
音声振動器１１、共鳴発声板３及び共鳴発声布２は、一つの取替可能な共鳴発声の部材を構成し、音声振動器１１が音声の出力を周波数振動に変えた時に、この振動は、前記共鳴発声板３及び前記共鳴発声布２を同時に振動させてこれらは一つの共鳴発声システムになる。前記共鳴発声布２と前記外枠１２を組み立てるために、５-２０Ｋｇｆの牽引力が必要であるため、一定の力で前記外枠１２と前記共鳴発声布２を組み合わせる。しかし、この力が大きすぎると、前記共鳴発声布２の使用寿命を短縮させ、この力が十分でないと、前記共鳴発声布２の共鳴効果に影響を与える。
【００２６】
好ましくは、前記牽引力は１０Ｋｇｆである。複数の試験によると、長さ及び幅がそれぞれ８０ｍｍ×８０ｍｍの共鳴発声板を使用する場合、牽引力は１０Ｋｇｆの時に最適であった。
【００２７】
前記共鳴発声板３及び前記共鳴発声布２の材質の成分及び硬さは、異なる周波数に対して異なる共鳴効果を有する。一般的に、音楽の音の周波数は、２０ＫＨｚ（高音）〜８０ＫＨｚ（低音）であるが、１８０Ｈｚ又はその以下の音の周波数（低音と称する）では、顕著な共鳴を発生させない。これに比べ、前記共鳴発声布２が軟質材料であるため、１８０Ｈｚ以下の音の周波数（低音）に対しては、顕著な共鳴音を発生させ、１８０Ｈｚ 又はその以上の音の周波数(中高音と称する)に対しては、顕著でない共鳴を発生させる。
【００２８】
２つの材質の異なる共鳴部材を一つの一体となる共鳴発声部材の一部にする場合、異なる材質それぞれの長所を利用しながら、お互いの短所を補完して、共鳴により発生される音楽が全音域（中高低音）を有する効果を達成することができる。
【実施例２】
【００２９】
上記の実施例に基づき、本発明は、新型の共鳴発声のフラットスピーカーを提供する。本実施例と上記の実施例の区別点は、好ましくは、前記共鳴発声板３の数は２つであり、各前記共鳴発声板３の第一面は、ともに単独で少なくとも１つの前記音声振動器と貼り合わせて設けられる。２組の前記共鳴発声板３及び前記音声振動器１１(声音励振器)の発声源がそれぞれ共鳴発声布２の内面に貼り合わせられ、一定の範囲内において、ステレオサウンドの音質を高める効果を奏する。なお、共鳴発声板３は２つ以上であってもよい。
【実施例３】
【００３０】
上記の実施例に基づき、本発明は、新型の共鳴発声のフラットスピーカーを提供する。本実施例と上記の実施例の区別点は、前記共鳴発声板３の材料は、ハニカム紙である。ハニカム紙は、硬質で軽いため要求を満たし、ハニカム紙のサンドイッチ構造は、他の各種板材構造に比べ、最大な強度/質量比を有し、且つハニカムサンドイッチ構造は、等方性を有し、構造の安定性が良く、変形しにくく、且つ優れる耐圧性及び耐折性を有する。
【００３１】
前記共鳴発声布２の材料はナイロンである。前記共鳴発声布２の材料は生地であってもよく、ナイロン及び生地の材料は柔らかいため、共鳴発声の条件を満たすものである。
【実施例４】
【００３２】
上記の実施例に基づき、本発明は、新型の共鳴発声のフラットスピーカーを提供する。本実施例と上記の実施例の区別点は、前記音声振動器１１と前記外枠１２との間の距離は、少なくとも２０ｍｍであるが、共鳴発声板３と共鳴発声布２の製造の利便性や効果の確保のためである。且つ、前記外枠１２のサイズが異なる時に、共鳴発声板３のサイズ割合を調整することで、出力する音質及び効率を確保する。
【実施例５】
【００３３】
上記の実施例に基づき、本発明は、新型の共鳴発声のフラットスピーカーを提供する。本実施例と上記の実施例の区別点は、前記ワイヤレス音楽振動本体は、更に裏板を含み、前記裏板は、前記ワイヤレス音楽振動本体１内の各部材を保護する。図２に示すように、前記裏板１３は、前記外枠１２に設けられ、前記裏板１３には、ウォールフック１３１又は緩衝ゴム足が設けられるが、これらによってフラットスピーカーを便利に壁に取り付け、室内空間を節約することができる。且つ、前記共鳴発声布２の表面に、個性的な芸術図案を写すことにより、本発明のフラットスピーカーが綺麗になる。前記ワイヤレス音楽振動本体１おいて音楽信号源を前記音声振動器１１に発送可能なワイヤレス音楽モジュール１６は充電式バッテリー１５に接続される。前記ワイヤレス音楽振動本体１におけるボタン１４、充電ポートは、ともに前記ワイヤレス音楽モジュール１６に接続され、前記外枠１２の付近に設けられる。
【００３４】
前記共鳴発声板の長さと幅の範囲は、それぞれ８０ｍｍ〜２５０ｍｍであり、本発明においては、長さ２５０ｍｍ、幅８０ｍｍに下時に、優れる技術効果が得られる。
【００３５】
上記のハニカム紙と共鳴発声布の取り付けは、ハニカム紙のハニカム状の空胴は、前記共鳴発声布に垂直に設定することが最も好ましい。前記共鳴発声板の材料は、ハニカム紙でなくてもよく、例えば、ハニカム紙構造に類似する他の材料からなるハニカム板であってもよい。当該ハニカム紙の構造は、両面とも一層の薄いカバー３２によって覆われ、カバー３２の中においては、お互いに相隣するハニカム空胴３１となっており、当該ハニカム空胴３１の形状は、六角形以外の他の形状の空胴でもよい。例えば、五角形、四角形等でも同様に共鳴拡音の目的達成することができる。
【００３６】
好ましくは、前記共鳴発声板の厚さは２ｍｍであり、この厚さである場合、前記フラットスピーカーの音色及び拡音の効果が最大であり、且つ当該フラットスピーカーの体積が膨大にならない。
【００３７】
本発明は、音声振動器による発声装置に関するものであり、異なる材質の共振又は共鳴点特性を利用して、フラットスピーカーの発声装置を製造する。共鳴発声板３は、硬質材料からなるが、当該共鳴発声板３により発生される音声は、中音の周波数乃至高音の周波数範囲であり、前記共鳴発声布２は軟性材料からなるが、当該共鳴スピーカーにより発生される音声は、低音の周波数範囲である。前記共鳴発声板３と前記共鳴発声布２とは、接触しており、前記共鳴発声板３の振動は、前記共鳴発声布２に伝達されて前記共鳴発声布２を振動させる。これにより、前記共鳴発声板３及び前記共鳴発声布２の異なる音の周波数の共振点の組み合わせにより、全音域のフラットスピーカー発声装置が得られる。当該フラットスピーカーは、使用する共鳴部材皆が平滑構造であるため、製造されるスピーカーの構造もコンパクトであり、体積も比較的に小さく、室内の空間を節約でき、且つ材料のコストが削減され、大規模の使用を可能となる。
【００３８】
以上、本明細書の実施形態に従って説明したが、各実施形態には、一つの独立した技術的解決手段しか含まれないというわけではなく、明細書のこのような説明形態が単に明確にするためのものにすぎず、当業者は、明細書を全体としてみるべきであり、各実施例における技術的解決手段を適切に組み合わせ、当業者が理解できる他の実施形態を形成してもよい。
【符号の説明】
【００３９】
１  ワイヤレス音楽振動本体 
１１  音声振動器
１２ 外枠
１３ 裏板
１３１ ウォールフック
１４ ボタン
１５  充電式バッテリー
１６ ワイヤレス音楽モジュール 
２  共鳴発声布
３ 共鳴発声板
３１ ハニカム空胴 
３２  カバー
【図１】
2020537463.tif 000003
【図２】
2020537463.tif 000004
【図３】
2020537463.tif 000005
【国際調査報告】
2020537463.tif 000006
2020537463.tif 000007
2020537463.tif 000008
2020537463.tif 000009